(57)【要約】【課題】多層光ディスクにデータを追記する場合の記録品質低下を抑制する。【解決手段】多層光ディスク１０の第１層１２及び第２層１４にデータを追記する。第１層１２にボーダイン領域２０２を確保し、続いてデータ記録領域２０４にデータを追記する。第２層１４のボーダイン領域２０２に対応する領域ではボーダイン領域２０２が未記録状態であるためトラッキングが不安定となり記録品質が低下する。そこで、ボーダイン領域２０２に対応する領域では追記を一時的に中断してスキップ領域２０５を形成する。スキップ領域２０５は、データの追記が完了しボーダイン領域２０２に境界情報を記録した後に所定データを記録する。【選択図】図２
2007141350.tif 000002
【特許請求の範囲】
【請求項１】
少なくとも第１層及び第２層を有する多層光ディスクに対してデータを記録する光ディスク装置であって、
前記光ディスクにデータを追加記録する場合に、まずボーダイン領域を確保し、前記ボーダイン領域に続くデータ記録領域にデータを記録し、その後に前記ボーダイン領域及び前記データ記録領域に続くボーダアウト領域に境界情報を記録する光ピックアップと、
前記光ピックアップにより前記第１層から前記第２層にわたって追加記録する場合であって、前記第２層にデータを記録するときに前記第２層の前記第１層に確保された前記ボーダイン領域に対応する領域では前記データの追加記録を一時的に中断し、前記ボーダイン領域に対応しない領域からデータの追加記録を再開することでスキップ領域を形成する制御手段と、
を有することを特徴とする光ディスク装置。
【請求項２】
請求項１記載の装置において、
前記制御手段は、前記データ記録領域に対するデータの追加記録を完了した後に前記ボーダイン領域に前記境界情報を記録し、さらに、前記ボーダイン領域に前記境界情報を記録した後に前記スキップ領域に所定データを記録することを特徴とする光ディスク装置。
【請求項３】
請求項２記載の装置において、
前記ボーダイン領域に記録される前記境界情報は、前記スキップ領域の存在あるいは位置を示す情報を含むことを特徴とする光ディスク装置。
【請求項４】
請求項２記載の装置において、
前記所定データは、特定の論理値を有するデータであることを特徴とする光ディスク装置。
【請求項５】
請求項２記載の装置において、
前記所定データは、前記境界情報を含むことを特徴とする光ディスク装置。
【請求項６】
請求項１〜５のいずれかに記載の装置において、
前記制御手段は、追加記録すべきデータの量が予め判別している場合には追加記録を一時的に中断することなく前記スキップ領域を形成せず、追加記録すべきデータの量が予め判別できない場合に追加記録を一時的に中断して前記スキップ領域を形成することを特徴とする光ディスク装置。
【発明の詳細な説明】
【技術分野】
【０００１】
本発明は光ディスク装置、特に記録層を複数有する多層光ディスクに対してデータを記録する光ディスク装置に関する。
【背景技術】
【０００２】
従来より、多層光ディスクにデータを記録する場合、データを記録すべき層以外の他の層の記録／未記録状態に応じて制御する技術が知られている。
【０００３】
図８に、第１層１２及び第２層１４を有する光ディスク１０にデータを記録する場合の構成を示す。第１層１２側からレーザ光を照射して第２層１４にデータを記録する場合、第１層１２の記録／未記録に応じて第１層１２の透過率が変化するとともに第１層１２からの反射率も変化する。したがって、レーザ光１００のように第１層１２が記録状態である場合に第２層１４に記録する場合には問題ないが、レーザ光１０２のように第１層１２が記録状態から未記録状態に遷移する境界部において第２層１４にデータを記録する際には反射光に基づくトラッキング制御が不安定となり、第２層１４に対するデータ記録の品質が劣化するおそれがある。
【０００４】
そこで、図９に示すように、第１層１２を全て記録した後に第２層１４を記録する、具体的には第１層１２を内周側から外周側に向けて全周にわたり記録した後、第２層１４を外周側から内周側に向けて記録することが提案されている。これにより、第２層１４に記録する場合には常に第１層１２は記録状態となっているから、第１層１２の記録／未記録の境界部が存在せず、安定したトラッキングでデータを記録することができる。
【０００５】
一方、下記の特許文献１には、第１層１２に記録／未記録の境界部が存在する場合にデータ記録を禁止することが記載されている。
【０００６】
【特許文献１】特開２００２−２３７０５０号公報
【発明の開示】
【発明が解決しようとする課題】
【０００７】
図９に示すように、第１層１２を全て記録した後に第２層１４にデータを記録することで安定してデータを記録することが可能であるが、場合によってはこのような記録手順では対応できない場合が生じ得る。
【０００８】
すなわち、データ記録可能な光ディスクにデータを記録する方式には、１回の記録動作で光ディスクを全て記録する方式と、追記により何回にも分けて光ディスクに記録する方式（ボーダレコーディング）に大別できる。追記を実行する場合、追記の開始部分に未記録部分を残し、データをその未記録部の次から記録し、データ記録の終了した時に当該未記録部にデータ記録の開始点や終了点などの境界情報を記録し、次に、データ終了の後の部分にも終了部情報を記録して１回の追記を完了している。図１０に、データを追記する場合のフォーマットを示す。前回記録部２００に続き、ボーダイン領域２０２、データ記録領域２０４、ボーダアウト領域２０６が存在する。追記時にはボーダイン領域２０２を飛び越してデータ記録領域２０４にデータを記録し、データ記録が終了した後にボーダイン領域２０２及びボーダアウト領域２０６に境界情報を記録して処理を完了する。ボーダアウト領域には、例えば２ＥＣＣブロック分の空きに引き続いて８ＥＣＣブロック分のデータを記録して終了情報とする。このようにデータを追記する場合にはボーダイン領域２０２を確保した後にデータ記録領域２０４にデータを記録するため、図１１に示すように、第１層１２の前回記録部２００に続いてデータを追記する場合、ボーダイン領域２０２を確保した後にデータ記録領域２０４にデータを記録するが、データ記録領域２０４が第１層１２及び第２層１４にわたって存在し、第２層１４において第１層１２のボーダイン領域２０２に対応する領域まで延在することがある。すると、第２層１４において第１層１２のボーダイン領域に対応する領域２０８では、第１層１２が未記録状態において記録することになるから、特にボーダイン領域２０２の境界部においてトラッキングが不安定となってデータ記録品質が劣化するおそれが生じ得る。
【０００９】
本発明の目的は、多層光ディスクにデータを追記する場合でも、記録品質の劣化を抑制することができる光ディスク装置を提供することにある。
【課題を解決するための手段】
【００１０】
本発明は、少なくとも第１層及び第２層を有する多層光ディスクに対してデータを記録する光ディスク装置であって、前記光ディスクにデータを追加記録する場合に、まずボーダイン領域を確保し、前記ボーダイン領域に続くデータ記録領域にデータを記録し、その後に前記ボーダイン領域及び前記データ記録領域に続くボーダアウト領域に境界情報を記録する光ピックアップと、前記光ピックアップにより前記第１層から前記第２層にわたって追加記録する場合であって、前記第２層にデータを記録するときに前記第２層の前記第１層に確保された前記ボーダイン領域に対応する領域では前記データの追加記録を一時的に中断し、前記ボーダイン領域に対応しない領域からデータの追加記録を再開することでスキップ領域を形成する制御手段とを有する。
【００１１】
本発明の１つの実施形態では、前記制御手段は、前記データ記録領域に対するデータの追加記録を完了した後に前記ボーダイン領域に前記境界情報を記録し、さらに、前記ボーダイン領域に前記境界情報を記録した後に前記スキップ領域に所定データを記録する。
【００１２】
本発明において、第２層の第１層に確保されたボーダイン領域に対応する領域ではデータの追加記録（追記）を一時的に中断するので、当該領域における記録品質低下を抑制することができる。追記を一時的に中断して形成されたスキップ領域は、ボーダイン領域に境界情報を記録した後に所定データが記録される。
【発明の効果】
【００１３】
本発明によれば、多層光ディスクにおいてデータ追記時にボーダイン領域を確保することに起因する記録品質低下を抑制することができる。
【発明を実施するための最良の形態】
【００１４】
以下、図面に基づき本発明の実施形態について説明する。
【００１５】
図１に、本実施形態における光ディスク装置の全体構成を示す。少なくとも第１層１２及び第２層を有する多層で追記可能な光ディスク１０はスピンドルモータ（ＳＰＭ）１１により回転駆動される。スピンドルモータＳＰＭ１１は、ドライバ１５で駆動され、ドライバ１５はサーボプロセッサ３０により所望の回転速度となるようにサーボ制御される。
【００１６】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１５と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテスト領域（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ、エラーレート等が用いられる。
【００１７】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号をアドレスデコード回路２８に供給する。
【００１８】
アドレスデコード回路２８は、アドレスデータを復調し、サーボプロセッサ３０やシステムコントローラ３２に供給する。
【００１９】
また、ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインターフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００２０】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化された変調データはエンコード／デコード回路３６に供給される。エンコード／デコード回路３６は、変調データをデコードし、バッファメモリ３８に記憶されている記録データと照合する。ベリファイの結果はシステムコントローラ３２に供給される。
【００２１】
システムコントローラ３２は、光ディスク１０にデータを記録する際には、まず第１層１２の内周側から外周に向けてデータを記録し、その後、第２層１４の外周側から内周に向けてデータを記録するように光ピックアップ１６を駆動する。また、データを追記する際には、図１０で示したように、前回記録部２００に続いてボーダイン領域２０２を確保し、データ記録領域２０４にデータを追記する。そして、データの記録が終了した後にボーダイン領域２０２に追記データの開始アドレスや終了アドレス等の境界情報を記録し、かつ、ボーダアウト領域２０６に追記が終了したことを示す終了情報（これも境界情報に含まれるものとする）を記録する。ボーダイン領域２０２に対する境界情報の記録と、ボーダアウト領域２０６に対する境界情報の記録の順序は任意に設定することができるが、本実施形態では、基本的に
データ記録領域→ボーダイン領域→ボーダアウト領域
の順に追記データや境界情報を記録するものとする。
【００２２】
そして、システムコントローラ３２は、データを追記する場合に、図１１で示したように、データ記録領域２０４が第１層１２と第２層１４にわたって存在し、第２層１４のデータ記録領域２０４が第１層１２に存在するボーダイン領域２０２に対応する領域まで延在している場合に、データの記録を一時中断することでトラッキング制御が不安定となってデータ記録品質が劣化する、例えばエラーレートが増大することを抑制する。
【００２３】
図２に、本実施形態の追記処理を示す。図１１と同様に、第１層１２から第２層にわたってデータを追記する場合であって、第１層１２のボーダイン領域２０２に対応する第２層１４の領域までデータ記録領域２０４が延在する場合を示す。図において、矢印はデータ追記の方向を示す。すなわち、第１層１２では内周から外周に向けて（図では左から右）、第２層１４では外周から内周に向けて（図では右から左）記録が行われる。第２層１４においてデータを追記していくと、やがて第１層１２のボーダイン領域２０２に対応する領域に到達する。この場合、システムコントローラ３２は、エンコード／デコード回路３６やライトストラテジ回路４２、ＡＰＣ２４に指令してデータの追記を一時的に中断し、第１層１２のボーダイン領域２０２を外れた領域に達した時点でデータの追記を再開する。図では、第２層１４のボーダイン領域２０２に対応する領域２０５はハッチングされておらず、データ記録が行われないことを示す。ボーダイン領域２０２に対応する領域ではデータ記録を一時的に中断することは、ボーダイン領域２０２に対応する領域を飛び越えて、あるいはバイパスしてデータを追記することを意味する。結果として、第２層１４のデータ記録領域２０４は、データ記録領域２０４ａとデータ記録領域２０４ｂから構成されることになる。
【００２４】
図３に、データ記録領域２０４に対するデータの記録が完了した後の処理を示す。データ追記処理においては、上記のとおり、ボーダイン領域２０２及びボーダアウト領域２０６に境界情報を記録する必要がある。そこで、システムコントローラ３２は、データの追記を完了した後、ボーダイン領域２０２に境界情報を記録する。ボーダイン領域２０２に記録すべき境界情報は、追記データの開始アドレスと終了アドレスであるが、図２に示すようにデータ記録領域２０４が領域２０４ａと領域２０４ｂの２つに分割されている場合には、そのことを示す情報や境界２０５の位置情報も含める。一例として、境界２０５の存在を示すフラグ及び境界２０５のアドレスデータである。このような境界情報をボーダイン領域２０２に記録しておくことにより、データ再生時にボーダイン領域２０２に記録されている境界情報を取得することで境界２０５の存在、及び境界２０５に記録されているデータの種類、つまり追記された本来のデータではないこと、を判別できる。ボーダイン領域２０２に境界情報を記録した後は、境界２０５（スキップ領域２０５）への記録が可能となるので、所定のデータを記録する。所定のデータは特定の論理値、例えば「０」とすることが好適であるが、他の有意なデータとしてもよい。例えば、ボーダイン領域２０２に記録される境界情報を重複して記録する等である。前回の追記時においてそのボーダイン領域に記録された境界情報を併せて記録してもよい。前回の追記におけるボーダイン領域が何らかの原因で破壊されて再生できない場合でも、境界２０５に重複して記録された境界情報を参照することでデータの再生が可能となる。境界２０５に所定のデータを記録した後に、ボーダアウト領域２０６に境界情報を記録して追記処理を完了する。
【００２５】
図４に、本実施形態におけるデータ追記時の記録順序を示す。
【００２６】
第１層１２におけるデータ記録領域２０４ａ→第２層１４におけるデータ記録領域２０４ａ→第２層１４におけるデータ記録領域２０４ｂ→ボーダイン領域２０２→スキップ領域２０５→ボーダアウト領域２０６
である。
【００２７】
図５に、データ追記時の他の記録順序を示す。
【００２８】
第１層１２におけるデータ記録領域２０４ａ→第２層１４におけるデータ記録領域２０４ａ→第２層１４におけるデータ記録領域２０４ｂ→ボーダアウト領域２０６→ボーダイン領域２０２→スキップ領域２０５
である。いずれの場合にも、ボーダイン領域２０２に境界情報を記録した後にスキップ領域２０５に所定データを記録している点に留意すべきである。
【００２９】
なお、スキップ領域２０５は、第２層１４のうち第１層１２に存在するボーダイン領域２０２に対応する領域として定義されるが、図６に示すように、スキップ領域２０５をボーダイン領域２０２に対応する位置の両端にマージン３００を確保した領域とすることが好適である。ボーダイン領域２０２の開始アドレス及び終了アドレスはボーダイン領域２０２を確保する際に設定されており、第２層１４においてボーダイン領域２０２の開始アドレスに対応するアドレス及びボーダイン領域２０２の終了アドレスに対応するアドレスは容易に算出されるから、システムコントローラ３２はマージン３００分をこれらの対応アドレスに加算することでスキップ領域２０５を確保することができる。
【００３０】
図７に、本実施形態におけるデータ追記時の全体処理フローチャートを示す。データ追記に際し、システムコントローラ３２は追記すべきデータ量が既知か否かを判定する（Ｓ１０１）。データ量が既知であれば追記データの開始アドレスだけでなく終了アドレスも算出できて境界情報を確定できるため、ボーダイン領域２０２分だけ空けてデータを記録する必要はなく、ボーダイン領域２０２から記録を開始することができる。そこで、ボーダイン領域２０２へまず境界情報を記録し（Ｓ１０２）、その後にデータ記録領域２０４にデータを追記し（Ｓ１０３）、続いてボーダアウト領域２０６に境界情報を記録する（Ｓ１０４）。このように、追記すべきデータ量が分かっていれば、ボーダイン領域２０２から記録することが可能であるため、図２に示すようにスキップ領域２０５を形成する必要がない。
【００３１】
一方、追記すべきデータ量が既知でない場合、システムコントローラ３２は、まずボーダイン領域２０２を確保し（Ｓ１０５）、ボーダイン領域２０２に続いてデータの追記を開始する（Ｓ１０６）。この時点ではボーダイン領域２０２には何らのデータも記録されておらず未記録状態にある。そして、第１層１２から第２層１４に移行し、第２層１４のアドレスが第１層１２のボーダイン領域のアドレスに対応するアドレスになったか否かを判定する（Ｓ１０７）。なお、この場合に図６に示すようにマージン３００を考慮してアドレスの一致を判定してもよい。そして、第２層１４のアドレスがボーダイン領域２０２のアドレスに対応する場合、このまま追記を続行するとボーダイン領域２０２の境界部においてトラッキングが不安定となって記録品質が低下することから、追記を一時中断してスキップ領域２０５を形成する（Ｓ１０８）。具体的には、第２層１４のボーダイン領域２０２に対応するアドレス領域では記録レーザ光を照射せず、再生レーザ光のみ照射する（あるいはレーザ光の照射を停止する）。対応するアドレス分だけ光ピックアップをジャンプさせてもよい。対応するアドレスは、Ｓ１０５で確保したボーダイン領域２０２のアドレスから算出され、システムコントローラ３２のメモリに記憶される。スキップ領域２０５を形成した後、引き続きデータの追記を実行する（Ｓ１０６）。以上の処理は、データの追記が完了するまで繰り返し実行される（Ｓ１０９）。
【００３２】
データ記録領域２０４へのデータ追記が完了した場合（Ｓ１０９でＹＥＳ）、ボーダイン領域２０２に境界情報を記録する（Ｓ１１０）。この記録により、スキップ領域２０５への記録が可能となるから、続いてスキップ領域２０５に所定データ、例えば境界情報を重複記録する（Ｓ１１１）。この重複記録により境界情報に冗長性をもたせデータ再生率を向上することができ、単にスキップ領域２０５をデータ記録禁止領域とする場合に比べてディスク利用効率が向上する。最後に、ボーダアウト領域２０６に境界情報を記録する（Ｓ１１２）。なお、第１層１２のボーダイン領域２０２の対応アドレスに達することなくデータの追記を完了した場合には、Ｓ１０７は常にＮＯとなりスキップ領域２０５が形成されることがないので当然ながらＳ１１１の処理が実行されることはない。Ｓ１０８でスキップ領域を形成した場合、その旨のフラグが設定されるため、設定されたフラグを用いてＳ１１１の処理を実行するか否かを判定する処理をＳ１１１の前処理として実行してもよい。
【００３３】
本実施形態では、第１層１２と第２層１４を有する光ディスク１０を例示したが、３層あるいはそれ以上の記録層を有する光ディスクにも同様に適用することができる。
【図面の簡単な説明】
【００３４】
【図１】実施形態における光ディスク装置の全体構成図である。
【図２】実施形態のスキップ領域形成説明図である。
【図３】実施形態の境界情報記録説明図である。
【図４】実施形態の記録順序説明図である。
【図５】実施形態の他の記録順序説明図である。
【図６】実施形態のスキップ領域説明図である。
【図７】実施形態の全体処理フローチャートである。
【図８】多層光ディスクへの記録説明図である。
【図９】多層光ディスクの記録順序説明図である。
【図１０】データ追記時のフォーマット説明図である。
【図１１】多層光ディスクへのデータ追記時の説明図である。
【符号の説明】
【００３５】
１０  光ディスク、１２  第１層、１４  第２層、３２  システムコントローラ、２００  前回記録領域、２０２  ボーダイン領域、２０４  データ記録領域、２０５  スキップ領域、２０６  ボーダアウト領域。
【図１】
2007141350.tif 000003
【図２】
2007141350.tif 000004
【図３】
2007141350.tif 000005
【図４】
2007141350.tif 000006
【図５】
2007141350.tif 000007
【図６】
2007141350.tif 000008
【図７】
2007141350.tif 000009
【図８】
2007141350.tif 000010
【図９】
2007141350.tif 000011
【図１０】
2007141350.tif 000012
【図１１】
2007141350.tif 000013